(57)【要約】【課題】ちらつきに対する要求に応えることができ高調波規制に適合できるＬＥＤ駆動装置。【解決手段】交流電圧を整流して脈動電圧を出力する整流回路１１と、複数のＬＥＤ２１〜２４が直列に接続され、整流回路からの脈動電圧に応じたＬＥＤ電流が流れることにより発光するＬＥＤ直列回路２０と、ＬＥＤ直列回路を構成する複数のＬＥＤの中の隣り合ったＬＥＤの接続点に接続された複数のスイッチング素子３１〜３３と、複数のスイッチング素子の状態に応じて、整流回路からダイオードＤを介して供給される脈動電圧に応じた充電電流により充電されるコンデンサＣとを備え、コンデンサへの充電電流とＬＥＤ直列回路へのＬＥＤ電流との合計が整流回路からの脈動電圧に応じた電流になるように制御し、脈動電圧が所定の閾値より小さくなった場合にコンデンサを放電させ、ＬＥＤ直列回路を構成する複数のＬＥＤの一部に電流を流して発光させる。【選択図】図１
2016006761.tif 000002
【特許請求の範囲】
【請求項１】
交流電圧を整流して脈動電圧を出力する整流回路と、
複数のＬＥＤが直列に接続され、前記整流回路からの脈動電圧に応じたＬＥＤ電流が流れることにより発光するＬＥＤ直列回路と、
前記ＬＥＤ直列回路を構成する複数のＬＥＤの中の隣り合ったＬＥＤの接続点に接続された複数のスイッチング素子と、
前記複数のスイッチング素子の状態に応じて、前記整流回路からダイオードを介して供給される脈動電圧に応じた充電電流により充電されるコンデンサと、
前記コンデンサへの充電電流と前記ＬＥＤ直列回路へのＬＥＤ電流との合計が前記整流回路からの脈動電圧に応じた電流になるように制御する制御回路と、
前記脈動電圧が所定の閾値より小さくなった場合に前記コンデンサを放電させ、前記ＬＥＤ直列回路を構成する複数のＬＥＤの一部に電流を流して発光させる補助点灯回路と、
を備えることを特徴とするＬＥＤ駆動装置。
【請求項２】
前記補助点灯回路は、前記ＬＥＤ直列回路を構成するＬＥＤの一部に並列に設けられ、前記コンデンサに直列に接続された放電スイッチング素子及び該放電スイッチング素子のオン時に放電電流を流す定電流制御回路を有する放電回路を備え、
前記放電回路の放電スイッチング素子を介して前記コンデンサを放電させることにより前記ＬＥＤ直列回路を構成するＬＥＤの一部に放電電流を流して発光させることを特徴とする請求項１記載のＬＥＤ駆動装置。
【請求項３】
前記補助点灯回路は、前記制御回路とは独立し、前記整流回路から出力される脈動電圧が所定の閾値以下になったかどうかを検知するＡＣ電圧検知部を備え、
前記ＡＣ電圧検知部は、脈動電圧が所定の閾値以下になったことを検知した場合に、前記放電スイッチング素子をオンして前記コンデンサを放電させ、前記ＬＥＤ直列回路を構成するＬＥＤの一部に放電電流を流して発光させることを特徴とする請求項２記載のＬＥＤ駆動装置。
【請求項４】
前記補助点灯回路により発光するＬＥＤの色温度は、前記補助点灯回路により発光するＬＥＤ以外のＬＥＤの色温度とは異なることを特徴とする請求項２又は請求項３記載のＬＥＤ駆動装置。
【請求項５】
前記補助点灯回路により発光するＬＥＤの色温度は、前記補助点灯回路により発光するＬＥＤ以外のＬＥＤの色温度よりも低く設定されていることを特徴とする請求項４記載のＬＥＤ駆動装置。
【請求項６】
前記補助点灯回路により発光するＬＥＤの色温度は、前記補助点灯回路により発光するＬＥＤ以外のＬＥＤの色温度よりも高く設定されていることを特徴とする請求項４記載のＬＥＤ駆動装置。
【発明の詳細な説明】
【技術分野】
【０００１】
本発明は、発光ダイオード（ＬＥＤ）を駆動するＬＥＤ駆動装置に関し、特に、ちらつきを抑えることが要求されるＬＥＤ駆動装置に関する。
【背景技術】
【０００２】
商用電圧又はＬＥＤ電流を検出し、この検出結果に基づきスイッチング素子のオン／オフを制御することにより、ＬＥＤの直列接続数を切り替えて点灯させるＡＣダイレクト駆動方式のＬＥＤ駆動装置が知られている（特許文献１）。
【０００３】
図７（ａ）は、この種のＬＥＤ駆動装置の構成を示す図である。このＬＥＤ駆動装置は、外部から供給される交流電圧を整流回路１１で全波整流し、この全波整流により得られた脈動電圧が、複数のＬＥＤ２１〜２４を直列接続したＬＥＤ直列回路に供給される。
【０００４】
複数のＬＥＤ２１〜２４は、図示しない制御回路からの制御信号によりオン／オフするスイッチング素子３１〜３３を介して定電流制御回路４１〜４４に基づく電流が流れることにより点灯又は消灯される。このとき、ＬＥＤ２１〜２４は、整流回路１１からの脈動電圧が低い値から高い値に変化する位相範囲では該変化に対応してＬＥＤの直列数が増加し、脈動電圧が高い値から低い値に変化する位相範囲では該変化に対応してＬＥＤの直列数が減少するように点灯制御される。
【０００５】
このような点灯制御では、ＬＥＤ２１〜２４への入力電圧及び入力電流は図７（ｂ）に示すように変化する。このＬＥＤ駆動装置は、ドロッパ方式による非スイッチング定電流制御回路を備え、入力電圧に応じてＬＥＤの直列数が変更されるため、ロスを抑えながら広い導通角を実現でき、効率的な点灯が可能になる。また、ドロッパ方式のため、リアクトルやコンデンサ等といった大型の電力変換素子を使用しないため、大幅な小型化を実現でき、低背面実装化が容易になる。
【先行技術文献】
【特許文献】
【０００６】
【特許文献１】特開２００６−１４７９３３号公報
【発明の概要】
【発明が解決しようとする課題】
【０００７】
しかしながら、上述したＬＥＤ駆動装置によってＬＥＤ照明装置を構成する場合、ＪＩＳ規格に規定されているちらつきに対する要求には応えることができない。即ち、ＪＩＳ規格には「光出力は、人がちらつきを感じるものであってはならない」と規定されているが、この規定を満足するためには、
（１）出力に欠落部（光出力のピーク値の５％以下の部分）がなく、繰り返し周波数が１００Ｈｚ以上のもの、又は、
（２）光出力の繰り返し周波数が５００Ｈｚ以上のもの
といった条件を満足する必要がある。
【０００８】
図８は、ＬＥＤ駆動装置の光出力の波形を示す図であり、光出力をセンサで受光してオシロスコープで観測することにより得られたものである。このＬＥＤ駆動装置では、定電流制御が段階的に行われるため、光出力の波形は階段状になっている。
【０００９】
このＬＥＤ駆動装置で採用されているＡＣダイレクト駆動方式は、ＡＣ入力を全波整流した脈動電圧でＬＥＤを点灯させるだけなので、ＡＣ電圧がゼロになった時点で、図８のＺ部分に示すように、光出力がゼロになってしまい、不点灯期間が発生する。
【００１０】
その結果、ちらつきに対する要求に応えることができないという問題がある。また、ちらつきを低減するための回路も開発されているが、入力電流が大きく歪むので、高調波規制（ＪＩＳ  Ｃ  ６１０００−３−２）クラスＣ（２５Ｗ以上）への適合が難しいという問題が残されている。
【００１１】
高調波規制に対応可能なちらつき低減するための回路も考慮されているが、電流の切り替えタイミングと同期しているため、一瞬不点灯期間が存在し、ちらつきに対する要求に応えることができない。
【００１２】
本発明の課題は、ちらつきに対する要求に応えることができ、しかも高調波規制に適合できるＬＥＤ駆動装置を提供することにある。
【課題を解決するための手段】
【００１３】
本発明は、交流電圧を整流して脈動電圧を出力する整流回路と、複数のＬＥＤが直列に接続され、前記整流回路からの脈動電圧に応じたＬＥＤ電流が流れることにより発光するＬＥＤ直列回路と、前記ＬＥＤ直列回路を構成する複数のＬＥＤの中の隣り合ったＬＥＤの接続点に接続された複数のスイッチング素子と、前記複数のスイッチング素子の状態に応じて、前記整流回路からダイオードを介して供給される脈動電圧に応じた充電電流により充電されるコンデンサと、前記コンデンサへの充電電流と前記ＬＥＤ直列回路へのＬＥＤ電流との合計が前記整流回路からの脈動電圧に応じた電流になるように制御する制御回路と、前記脈動電圧が所定の閾値より小さくなった場合に前記コンデンサを放電させ、前記ＬＥＤ直列回路を構成する複数のＬＥＤの一部に電流を流して発光させる補助点灯回路とを備えることを特徴とする。
【発明の効果】
【００１４】
本発明によれば、コンデンサへの充電電流とＬＥＤ直列回路へのＬＥＤ電流との合計が整流回路からの脈動電圧に応じた電流になるように制御し、脈動電圧が所定の閾値より小さくなった場合にコンデンサを放電させ、複数のＬＥＤの一部に電流を流して発光させるので、ちらつきに対する要求に応えることができ、しかも高調波規制にも適合できるＬＥＤ駆動装置を提供できる。
【図面の簡単な説明】
【００１５】
【図１】本発明の実施例１に係るＬＥＤ駆動装置の構成を示す図である。
【図２】本発明の実施例１に係るＬＥＤ駆動装置の動作を示すタイミングチャートである。
【図３】本発明の実施例１に係るＬＥＤ駆動装置の詳細な構成を示す図である。
【図４】本発明の実施例２に係るＬＥＤ駆動装置の構成を示す図である。
【図５】本発明の実施例２に係るＬＥＤ駆動装置の入力電圧を位相制御した時の位相角を百分率で示した調光率と各ＬＥＤ列の総電流値との関係を示す図である。
【図６】本発明の実施例２に係るＬＥＤ駆動装置の調光率と各ＬＥＤ列の電流値比率との関係を示す図である。
【図７】従来のＬＥＤ駆動装置を用いたＬＥＤ駆動装置を説明するための図である。
【図８】図７に示すＬＥＤ駆動装置の光出力の波形を示す図である。
【発明を実施するための形態】
【００１６】
以下、本発明の実施の形態について、図面を参照しながら詳細に説明する。なお、従来のＬＥＤ駆動装置と同一構成には、従来技術で使用した符号と同じ符号を付しその説明は省略する。
【実施例１】
【００１７】
図１は、本発明の実施例１に係るＬＥＤ駆動装置の構成を示す図である。このＬＥＤ駆動装置は、整流回路１１、ＬＥＤ直列回路を構成するＬＥＤ２１〜２４、スイッチング素子３１〜３３、定電流制御回路４１〜４４、ダイオードＤ１、コンデンサＣ、ＡＣ電圧検知部５１、放電スイッチング素子ＳＷ及び定電流制御回路５２を備えている。スイッチング素子３１〜３３及び定電流制御回路４１〜４４は、１つの集積回路（ＩＣ）３０に含まれる。ＡＣ電圧検知部５１、放電スイッチング素子ＳＷ及び定電流制御回路５２は、本発明の補助点灯回路を構成している。
【００１８】
整流回路１１は、外部から供給される交流電圧を全波整流する。全波整流により得られた脈動電圧は、複数のＬＥＤ２１〜２４を直列に接続したＬＥＤ直列回路２０及びＡＣ電圧検知部５１に印加される。
【００１９】
ＬＥＤ２１〜２４を有するＬＥＤ直列回路２０の両端は、定電流制御回路４４を介して整流回路１１の両端に接続されている。ＬＥＤ２１のアノードは、整流回路１１の正極に接続され、ＬＥＤ２１のカソードはＬＥＤ２２のアノードに接続されている。ＬＥＤ２２のカソードはＬＥＤ２３のアノードに接続され、ＬＥＤ２３のカソードはＬＥＤ２４のアノードに接続され、ＬＥＤ２４のカソードは定電流制御回路４４を介して整流回路１１の負極に接続されている。
【００２０】
ＬＥＤ直列回路２０に、整流回路１１からの脈動電圧が印加されることによりＬＥＤ２１〜２４にＬＥＤ電流が流れて発光する。
【００２１】
スイッチング素子３１は、例えばＭＯＳＦＥＴから構成され、ドレインはＬＥＤ２１とＬＥＤ２２との接続点に接続され、ソースは定電流制御回路４１を介して整流回路１１の負極に接続され、ゲートは図示しない制御回路に接続されている。スイッチング素子３１は、制御回路からの制御信号がゲートに供給されることによりオン／オフする。
【００２２】
スイッチング素子３２は、例えばＭＯＳＦＥＴから構成され、ドレインはＬＥＤ２２とＬＥＤ２３との接続点に接続され、ソースは定電流制御回路４２を介して整流回路１１の負極に接続され、ゲートは図示しない制御回路に接続されている。スイッチング素子３２は、制御回路からの制御信号がゲートに供給されることによりオン／オフする。
【００２３】
スイッチング素子３３は、例えばＭＯＳＦＥＴから構成され、ドレインはＬＥＤ２３とＬＥＤ２４との接続点に接続され、ソースは定電流制御回路４３を介して整流回路１１の負極に接続され、ゲートは図示しない制御回路に接続されている。スイッチング素子３３は、制御回路からの制御信号がゲートに供給されることによりオン／オフする。
【００２４】
定電流制御回路４１は、スイッチング素子３１のオン時に、スイッチング素子３１に一定電流を流す。定電流制御回路４２は、スイッチング素子３２のオン時に、スイッチング素子３２に一定電流を流す。定電流制御回路４３は、スイッチング素子３３のオン時に、スイッチング素子３３に一定電流を流す。定電流制御回路４４は、スイッチング素子３１〜３３の全てがオフしている場合に、ＬＥＤ２４から整流回路１１の負極に至る経路に一定電流を流す。
【００２５】
ダイオードＤ１とコンデンサＣとが直列に接続されてなる充電回路は、ＬＥＤ２２、ＬＥＤ２３及びＬＥＤ２４からなる直列回路に並列に接続されている。ダイオードＤ１のアノードは、ＬＥＤ２１とＬＥＤ２２との接続に接続され、カソードはコンデンサＣの一端に接続されている。コンデンサＣの他端は、ＬＥＤ２４のカソードに接続されている。コンデンサＣは、整流回路１１→ＬＥＤ２１→ダイオードＤ１の経路を流れる充電電流Ｉｃｃにより充電される。
【００２６】
ＡＣ電圧検知部５１は、整流回路１１から出力される脈動電圧が所定の閾値（ＡＣ検知閾値）以下であることを検知した場合に、Ｈレベルの放電開始信号を出力する。
【００２７】
放電スイッチング素子ＳＷは、例えばＭＯＳＦＥＴから構成され、コンデンサＣの放電を制御する。放電スイッチング素子ＳＷのドレインは、ダイオードＤ１とコンデンサＣの接続点に接続され、ソースは定電流制御回路５２を介してＬＥＤ２２とＬＥＤ２３の接続点に接続され、ゲートはＡＣ電圧検知部５１に接続されている。
【００２８】
放電スイッチング素子ＳＷは、ＡＣ電圧検知部５１からＨレベルの放電開始信号が送られてきた場合にオンする。これにより、コンデンサＣに充電されている電荷は、コンデンサＣ→放電スイッチング素子ＳＷ→定電流制御回路５２→ＬＥＤ２３→ＬＥＤ２４→コンデンサＣの経路で放電されて放電電流Ｉｃｄが流れる。
【００２９】
次に、このように構成されるＬＥＤ駆動装置の動作を、図２に示すタイミングチャートを参照しながら説明する。
【００３０】
まず、外部から交流電圧が印加されると、整流回路１１は、印加された交流電圧を全波整流し、脈動波形を有する入力電圧Ｖｉｎを発生する。整流回路１１で発生された入力電圧Ｖｉｎは、ＬＥＤ２１〜２４からなるＬＥＤ直列回路２０及びＡＣ電圧検知部５１に印加される。
【００３１】
一方、スイッチング素子３１〜３３は、図示しない制御回路からの制御信号に応じてオン／オフされて段階的に定電流制御が行われる。その結果、整流回路１１の出力端子間には、入力電圧Ｖｉｎに応じた階段状の波形を有する入力電流Ｉｉｎが流れる。
【００３２】
即ち、制御回路からの制御信号によりスイッチング素子３１がオンされると、整流回路１１→ＬＥＤ２１→スイッチング素子３１→定電流制御回路４１→整流回路１１の経路で電流が流れ、ＬＥＤ２１のみが点灯する。なお、図２に、光出力が変化する状態を示す。
【００３３】
また、制御回路からの制御信号により、スイッチング素子３１がオフされ、スイッチング素子３２がオンされると、整流回路１１→ＬＥＤ２１→ＬＥＤ２２→スイッチング素子３２→定電流制御回路４２→整流回路１１の経路で電流が流れ、ＬＥＤ２１及びＬＥＤ２２が点灯する。
【００３４】
また、制御回路からの制御信号により、スイッチング素子３１，３２がオフされ、スイッチング素子３３がオンされると、整流回路１１→ＬＥＤ２１→ＬＥＤ２２→ＬＥＤ２３→スイッチング素子３３→定電流制御回路４３→整流回路１１の経路で電流が流れ、ＬＥＤ２１、ＬＥＤ２２及びＬＥＤ２３が点灯する。
【００３５】
さらに、制御回路からの制御信号によりスイッチング素子３１〜３３のいずれもオンされないと、整流回路１１→ＬＥＤ２１→ＬＥＤ２２→ＬＥＤ２３→ＬＥＤ２４→定電流制御回路４４→整流回路１１の経路で電流が流れ、ＬＥＤ２１、ＬＥＤ２２、ＬＥＤ２３及びＬＥＤ２４の全てが点灯する。
【００３６】
次に、各期間Ｔ１〜Ｔ５の動作を説明する。
【００３７】
まず、期間Ｔ１において、放電スイッチング素子ＳＷがオフであり、コンデンサ電圧Ｖｃが第１の電圧Ｖ１以下であり、しかも、入力電圧Ｖｉｎが低い間は、ダイオードＤ１がオンしないため充電電流Ｉｃｃは流れない。
【００３８】
しかし、期間Ｔ２において、入力電圧Ｖｉｎが第１の電圧Ｖ１より高くなると、整流回路１１→ＬＥＤ２１→ダイオードＤ１→コンデンサＣの経路で充電電流Ｉｃｃが流れてコンデンサＣの充電が開始される。これにより、期間Ｔ２に示すようにコンデンサ電圧Ｖｃが上昇し、期間Ｔ３に示すように充電電流Ｉｃｃがなくなってもコンデンサ電圧Ｖｃは第２の電圧Ｖ２を維持する。
【００３９】
この状態で、ＡＣ電圧検知部５１により、入力電圧ＶｉｎがＡＣ検知閾値より小さくなったことが検知されると、Ｈレベルの制御信号が放電スイッチング素子ＳＷのゲートに印加される。
【００４０】
これにより、期間Ｔ４に示すように放電スイッチング素子ＳＷがオンする。その結果、コンデンサＣ→放電スイッチング素子ＳＷ→定電流制御回路５２→ＬＥＤ２３→ＬＥＤ２４→コンデンサＣの経路で放電電流Ｉｃｄ（充電電流Ｉｃｃと逆向きの電流）が流れる。ＡＣ電圧検知部５１が独立していることにより、期間Ｔ４を入力電流Ｉｉｎがゼロになる期間よりも長くすることが可能となる。
【００４１】
これにより、入力電流Ｉｉｎがゼロになる期間であってもＬＥＤ２３及びＬＥＤ２４に電流Ｉｃｄが流れるので、期間Ｔ４に示すように光出力が持ち上げられ、全てのＬＥＤ２１〜２４が消灯する不点灯期間が発生しない。その結果、ＬＥＤ２１〜２４におけるちらつきに対する要求に応えることができる。
【００４２】
ＩＣ３０は、補助点灯回路と協調動作し、充電回路を構成するコンデンサＣへの充電電流ＩｃｃとＬＥＤ直列回路２０を構成するＬＥＤ２１〜ＬＥＤ２４へのＬＥＤ電流との合計を、整流回路１１からの脈動電圧に応じた電流になるように制御するので、入力電流が正弦波で歪まず、ＪＩＳ規格の高調波規制クラスＣ（２５Ｗ以上）に適合させることができる。また、光出力のピーク値が低減され、光出力周波数が上昇する。
【００４３】
さらに、高周波スイッチングが行われないため、伝導ノイズ及び放射ノイズが低減され、ノイズフィルタが無いにもかかわらず、照明のノイズ規格であるＣＩＳＰＲ１５に対し、１０ｄＢ以上のマージンが得られる。
【００４４】
図３は、実施例１に係るＬＥＤ駆動装置の詳細な構成を示す回路図である。この回路図では、ＬＥＤ２１〜２４の各々は、１２個又は９個の単体ＬＥＤで構成されている例を示している。
【００４５】
なお、ＬＥＤ２１〜２４の各々には点灯期間の異なるものが含まれるため、光出力を平滑するために、図３では、単体ＬＥＤの並び順が調整されたイメージを示している。
【００４６】
また、図３に示す実施例１に係るＬＥＤ駆動装置の基板は、例えば直管蛍光灯型ＬＥＤ照明に内蔵される場合、口金内やＬＥＤの周辺に制御回路を配置し、発光領域への影響を極力避けながらＬＥＤと同一基板に実装する配置となっている。また、長尺化を容易にするために、ＡＣ入力端子を両端に設けている。また、防犯灯や施設灯に応用することで、灯具の小型化及び軽量化を図ることができる。
【００４７】
このように本発明の実施例１によれば、光出力がゼロになってしまう不点灯期間が発生するのを回避できるので、ちらつきに対する要求に応えることができる。また、高調波規制クラスＣ（２５Ｗ以上）に対応できるという利点がある。
【００４８】
また、実施例１に係るＬＥＤ駆動装置のちらつきを評価した結果は以下の通りである。即ち、光出力の最低値は、ピーク値の２８．１％であり、光出力の周波数は２００Ｈｚ程度であるので、ＪＩＳ規格に適合する結果が得られた。
【００４９】
また、蛍光灯の場合は、光出力の最低値は、ピーク値の４１．９％であるが、光出力の周波数は実施例１の半分である１００Ｈｚ程度であるので、ちらつきを視認しやすい。これに対して、実施例１に係るＬＥＤ駆動装置では、蛍光灯と比較してもちらつきを視認しにくいという効果が得られる。
【００５０】
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。即ち、本発明はここでは記載していない様々な実施形態等を含むことは勿論である。従って、本発明の技術的範囲は上記の説明から妥当な特許請求の範囲に係る発明特定事項によってのみ定められるものである。例えば、ＬＥＤ直列回路２０を構成するＬＥＤの直列数、及び、各ＬＥＤを構成する単体ＬＥＤの個数は、いずれも任意の数にすることができる。また、放電電流Ｉｃｄを流す経路は、ＬＥＤ直列回路２０の任意の経路とすることができる。
【実施例２】
【００５１】
図４は本発明の実施例２に係るＬＥＤ駆動装置の構成を示す図である。図４では、ＬＥＤ駆動装置の主要部のみの構成を示す。ＬＥＤ駆動装置は、ＬＥＤ直列回路を構成するＬＥＤ１〜４、ダイオードＤ１，２、コンデンサＣ、放電スイッチング素子ＳＷを備えている。放電スイッチング素子ＳＷは、定電流制御回路の機能を兼ね備える。ＬＥＤ１，２は、１２個の単体ＬＥＤが直列接続されて構成される。ＬＥＤ３，４は、９個の単体ＬＥＤが直列接続されて構成される。
【００５２】
実施例２に係るＬＥＤ駆動装置において、放電スイッチング素子ＳＷを有する補助点灯回路によって発光するＬＥＤ２の色温度は、その他のＬＥＤ１，３，４の色温度とは異なるものに設定される。また、補助点灯回路により発光するＬＥＤ２の色温度は、ＬＥＤ２以外のＬＥＤ１，３，４の色温度よりも低く設定されている。
【００５３】
図５は本発明の実施例２に係るＬＥＤ駆動装置の入力電圧を位相制御した時の位相角を百分率で示した調光率と各ＬＥＤ列の総電流値（明るさ）との関係を示す図である。総電流値は各ＬＥＤ列の電流値とＬＥＤ数とを乗算して得られた電流値である。この場合、補助点灯回路により発光するＬＥＤは、ＬＥＤ２となる。図５からわかるように、調光率が２０％のときにＬＥＤ２以外は電流がほぼ０になっているのに対して、ＬＥＤ２には電流が流れている。
【００５４】
図６は本発明の実施例２に係るＬＥＤ駆動装置の調光率と各ＬＥＤ列の電流値比率（明るさ比）との関係を示す図である。電流値比は、各々の調光率のときのＬＥＤ電流値合計に対する各ＬＥＤ列の電流値の比である。図６では、調光率１００％のときのＬＥＤ２のその他のＬＥＤ１，３，４に対する電流値比率は約３０％である。しかし、調光率が２０％の場合に、電流値比は約７０％と大きい。このため、ＬＥＤ２の色温度を、その他のＬＥＤ１，３，４の色温度と異なるものに設定することで、位相制御調光時に調光率に従って色温度を変える調色を行うことができる。
【００５５】
また、補助点灯回路により発光するＬＥＤ２の色温度を、ＬＥＤ２以外のＬＥＤ１，３，４の色温度よりも低く設定することにより、調光時に全体の色温度が低くなり、白熱電球を調光したときと同じように、自然な色味の変化を実現することができる。もちろん、調光時に全体の色温度が上がるような調色を実現することも可能である。
【００５６】
補助点灯回路がない場合でも、最も低い電圧で点灯するＬＥＤ列（この例ではＬＥＤ１）が最後まで点灯することになり、類似の色温度変化を実現可能であるが、補助点灯回路が設けられることにより、以下の利点がある。即ち、１００％点灯時に、ＪＩＳのちらつき規格に適合可能である。また、補助点灯回路の調整により、自由度の高い調色が可能となる。
【符号の説明】
【００５７】
１１  整流回路
２０  ＬＥＤ直列回路
１〜４，２１〜２４  ＬＥＤ
３０  集積回路（ＩＣ）
３１〜３３  スイッチング素子
４１〜４４，５２  定電流制御回路
５１  ＡＣ電圧検知部
Ｄ１，２  ダイオード
Ｃ  コンデンサ
ＳＷ  放電スイッチング素子
Ｖｉｎ  交流電圧
Ｉｉｎ  入力電流
Ｉｃｃ  充電電流
Ｉｃｄ  放電電流
Ｖｃ  コンデンサ電圧
【図１】
2016006761.tif 000003
【図２】
2016006761.tif 000004
【図３】
2016006761.tif 000005
【図４】
2016006761.tif 000006
【図５】
2016006761.tif 000007
【図６】
2016006761.tif 000008
【図７】
2016006761.tif 000009
【図８】
2016006761.tif 000010